(57)【要約】  本発明は、第１の導線ユニットと、各導線が絶縁層で被覆されている第２の導線ユニットとを備え、絶縁材料により製造され、かつ前記第１の導線ユニット及び第２の導線ユニットを包み込むシースと、異なる種類の金属線を含み、前記第１の導線ユニットを被覆するシールド部と、をさらに備え、前記第１の導線ユニットは信号を伝送可能であり、前記第２の導線ユニットは電源電力を伝送可能である複合ケーブルに関する。本発明に係る複合ケーブルによって、異なる要求に対して良好なシールドを与えることができる。【選択図】図１
2019500727.tif 000002
【特許請求の範囲】
【請求項１】
第１の導線ユニットと、各導線が絶縁層で被覆されている第２の導線ユニットとを備え、
絶縁材料により製造され、かつ前記第１の導線ユニット及び第２の導線ユニットを包み込むシースと、
異なる種類の金属線を含み、前記第１の導線ユニットを被覆するシールド部と、をさらに備え、
前記第１の導線ユニットは信号を伝送可能であり、前記第２の導線ユニットは電源電力を伝送可能であることを特徴とする複合ケーブル。
【請求項２】
前記シールド部は、異なる種類の金属線からなるワイヤハーネスによりメッシュ状構造に織られて構成されることを特徴とする請求項１に記載の複合ケーブル。
【請求項３】
前記異なる種類の金属線は、電気シールド金属線と、磁気シールド金属線とを含むことを特徴とする請求項１に記載の複合ケーブル。
【請求項４】
前記電気シールド金属線は銅線を含むことを特徴とする請求項３に記載の複合ケーブル。
【請求項５】
前記磁気シールド金属線は鉄線を含むことを特徴とする請求項３に記載の複合ケーブル。
【請求項６】
前記第１の導線ユニットは１つ以上の第１の導線サブユニットを含み、前記第２の導線ユニットは少なくとも２つの導線を含み、前記第１の導線サブユニット及び前記第２の導線ユニットの中の導線は、前記シースの内部空間を十分に充填するように配置されることを特徴とする請求項１に記載の複合ケーブル。
【請求項７】
前記第１の導線サブユニット及び前記第２の導線ユニットの中の導線からなるワイヤハーネスの横断面の外輪郭は複合ケーブルの直径に関して対称となる多角形であることを特徴とする請求項６に記載の複合ケーブル。
【請求項８】
前記第１の導線サブユニット及び前記第２の導線ユニットの中の導線からなるワイヤハーネスの横断面の外輪郭は概ね円形であることを特徴とする請求項６に記載の複合ケーブル。
【請求項９】
第１の導線サブユニットの各々は、異なる種類の金属線を含むシールド部で被覆されていることを特徴とする請求項６に記載の複合ケーブル。
【請求項１０】
前記第１の導線ユニットは、高精細度マルチメディアインターフェース（ＨＤＭＩ）線、ユーザー定義信号線、制御線、データ線、直流電力線及びグラウンド線のうちの一種又は複数種を含むことを特徴とする請求項１に記載の複合ケーブル。
【発明の詳細な説明】
【技術分野】
【０００１】
（関連出願の相互参照）
本願は、２０１６年３月７日に出願された中国特許出願２０１６１０１２７７１３．３号に基づく優先権を主張するものであり、その内容全体は引用により本明細書に組み込まれる。
【０００２】
本発明は伝送ケーブルに関し、特に複合ケーブルに関する。
【背景技術】
【０００３】
データ通信及び情報技術の高速な発展に伴い、伝送ケーブルの性能に対する要求もますます高くなっている。現在、信号線及び電力線を一体化した複合ケーブルが存在する。このような複合ケーブルは、電力線により伝送される電源電力と、信号線により伝送される信号との間で効果的なシールドを行う必要がある。また、回線による信号の伝送中において、外部からの干渉信号をシールドするとともに、回線における信号による外部の環境への干渉を避ける必要もある。したがって、従来のケーブルは、通常、コアの外面が１層の金属シールドメッシュで覆われている。しかしながら、電場、磁場等の種々の物理的場に対する金属のシールド能力が異なるため、異なる物理的場に対するシールドの要求を同時に満たすことは難しい。
【発明の概要】
【発明が解決しようとする課題】
【０００４】
上記に鑑み、本発明は、異なる種類の金属の特性を利用して、異なるシールド要求に対して良好なシールドを与える複合ケーブルを提供する。
【課題を解決するための手段】
【０００５】
一側面として、第１の導線ユニットと、各導線が絶縁層で被覆されている第２の導線ユニットとを備え、絶縁材料により製造され、かつ前記第１の導線ユニット及び第２の導線ユニットを包み込むシースと、異なる種類の金属線を含み、前記第１の導線ユニットを被覆するシールド部と、をさらに備え、前記第１の導線ユニットは信号を伝送可能であり、前記第２の導線ユニットは電源電力を伝送可能であることを特徴とする複合ケーブルを提供する。
【０００６】
一つの可能な実施形態において、前記シールド部は、異なる種類の金属線からなるワイヤハーネスによりメッシュ状構造に織られて構成される。
【０００７】
一つの可能な実施形態において、前記異なる種類の金属線は、電気シールド金属線と、磁気シールド金属線とを含む。
【０００８】
一つの可能な実施形態において、前記電気シールド金属線は銅線を含む。
【０００９】
一つの可能な実施形態において、前記磁気シールド金属線は鉄線を含む。
【００１０】
一つの可能な実施形態において、前記第１の導線ユニットは１つ以上の第１の導線サブユニットを含み、前記第２の導線ユニットは少なくとも２つの導線を含み、前記第１の導線サブユニット及び前記第２の導線ユニットの中の導線は、前記シースの内部空間を十分に充填するように配置される。
【００１１】
一つの可能な実施形態において、前記第１の導線サブユニット及び前記第２の導線ユニットの中の導線からなるワイヤハーネスの横断面の外輪郭は複合ケーブルの直径に関して対称となる多角形である。
【００１２】
一つの可能な実施形態において、前記第１の導線サブユニット及び前記第２の導線ユニットの中の導線からなるワイヤハーネスの横断面の外輪郭は概ね円形である。
【００１３】
一つの可能な実施形態において、第１の導線サブユニットの各々は、異なる種類の金属線を含むシールド部で被覆されている。
【００１４】
一つの可能な実施形態において、前記第１の導線ユニットは、高精細度マルチメディアインターフェース（ＨＤＭＩ（登録商標））線、ユーザー定義信号線、制御線、データ線、直流電力線及びグラウンド線のうちの一種又は複数種を含む。
【発明の効果】
【００１５】
本発明に係る複合ケーブルによって、異なる要求に対して良好なシールドを与えることができる。
【００１６】
本発明の他の特徴や側面は、以下、図面を参照して例示的実施例を詳しく説明することにより明らかになる。
【図面の簡単な説明】
【００１７】
明細書に含まれて明細書の一部をなす図面は、明細書とともに本発明の例示的実施例、特徴及び側面を示し、本発明の原理を解釈するものである。
【図１】図１は、本発明の一実施例による複合ケーブルを示す構成模式図である。
【図２】図２は、本発明の一実施例による複合ケーブルの１つの具体的な例を示す構成模式図である。
【図３】図３は、ワイヤハーネス及びシールド部のメッシュ状構造の１つの例を示す模式図である。
【図４】図４は、ワイヤハーネス及びシールド部のメッシュ状構造の１つの例を示す模式図である。
【図５ａ】図５ａは、本発明の実施例による複合ケーブルの例を示す構造図である。
【図５ｂ】図５ｂは、本発明の実施例による複合ケーブルの例を示す構造図である。
【図５ｃ】図５ｃは、本発明の実施例による複合ケーブルの例を示す構造図である。
【図５ｄ】図５ｄは、本発明の実施例による複合ケーブルの例を示す構造図である。
【図５ｅ】図５ｅは、本発明の実施例による複合ケーブルの例を示す構造図である。
【図５ｆ】図５ｆは、本発明の実施例による複合ケーブルの例を示す構造図である。
【図５ｇ】図５ｇは、本発明の実施例による複合ケーブルの例を示す構造図である。
【発明を実施するための形態】
【００１８】
以下、図面を参照しながら本発明の種々の例示的実施例、特徴及び側面を詳細に説明する。図面における同じ符号は、同一又は類似する機能を有する素子を示す。図面には実施例の種々の側面が示されているが、特記されていない限り、その比例どおりに図面を描く必要はない。
【００１９】
ここでの「例示的」という専用語は、「例、実施例として用いられるか、または説明性のものである」ことを意味する。ここで「例示的」に説明した実施例はいずれも他の実施例よりも好ましいか、または良いと解釈する必要はない
【００２０】
また、本発明をより良く説明するために、以下の具体的な実施形態において具体的な細部を多く記載した。本発明は、何らかの具体的な細部が無くとも同様に実施できることは、当業者が理解すべきことである。本発明の主旨を際立たせるために、一部の実例では、当業者に良く知られている方法、手段、素子、および回路について詳細に記述しない。
【００２１】
実施例１
図１は、本発明の一実施例による複合ケーブル１００を示す構成模式図である。図１に示すように、この複合ケーブル１００は主に、第１の導線ユニット１０１と、各導線が絶縁層１０３で被覆されている第２の導線ユニット１０２とを備える。前記複合ケーブル１００は、絶縁材料により製造され、かつ前記第１の導線ユニット１０１及び第２の導線ユニット１０２を包み込むシース１０４と、異なる種類の金属線を含み、前記第１の導線ユニット１０１を被覆するシールド部１０５と、をさらに備える。ここで、前記第１の導線ユニット１０１は信号を伝送可能であり、前記第２の導線ユニット１０２は電源電力を伝送可能である。
【００２２】
本実施例による複合ケーブルでは、異なる種類の金属線を含むシールド部により、信号を伝送するための第１の導線ユニット１０１を被覆することにより、第１の導線ユニットに対してシールドを行う。異なる種類の金属は異なる物理的場に対するシールド特性が異なるため、異なる種類の金属線によりシールド部を構成することにより、種々の物理的場に対して効果的なシールドを与えることができ、異なる耐干渉要求に対して良好なシールド効果を奏することができる。
【００２３】
一つの例において、前記第１の導線ユニット１０１は、信号を伝送するための複数の導線、例えばＨＤＭＩ（高精細度マルチメディアインターフェース）線、ユーザー定義信号線、制御線、データ線等を含んでもよい。また、前記第１の導線ユニット１０１は、直流電力を伝送するための直流電力線及びグラウンド線をさらに含んでもよい。シールド部１０５内に絶縁材料を充填することにより第１の導線ユニット１０１の各導線を離間させることができる。
【００２４】
一つの例において、前記第２の導線ユニットは、電源電力を伝送するための導線、例えば２２０Ｖの交流電力を伝送するためのライブライン、ニュートラルライン等を含んでもよい。
【００２５】
図２は、本発明の一実施例による複合ケーブルの１つの具体的な例を示す構成模式図である。図２に示す例において、第１の導線ユニット１０２は、それぞれライブライン及びニュートラルラインである第１線及び第２線を含み、ライブライン及びニュートラルラインの外部はそれぞれ例えばＰＶＣ（ポリ塩化ビニル）等の絶縁材質からなる絶縁層１０３で被覆され、絶縁層は１層又は複数層、例えば２層であってもよい。第１の導線ユニット１０１は、複数、例えば１０個（番号３〜１２）の導線を含んでもよい。あるいは、必要に応じて他の任意の個数であっても良い。
【００２６】
図２に示す例において、前記複数の導線は、例えばコアが純銅材質である線３、線４、線５、線６を含んでもよい。前記線３、線４、線５、線６の外層はそれぞれアルミ箔２０１等のシールド用金属材で被覆されてもよい。また、前記アルミ箔は前記各線３〜線６のコアのうちの接地コア２０２に接続されてもよい。また、アルミ箔２０１の代わりに、上述した異なる種類の金属線を含むシールド部を用いてもよい。本実施形態において、前記線３、線４、線５、線６のコアは、例えばそれぞれ差分信号を伝送するための正負の信号線及び接地コアとして用いることができる。ただし、本発明はこれに限らず、実際に信号を伝送する要求に応じてコアの種類を定めてもよい。
【００２７】
図２に示す例において、前記複数の導線は、コアが例えば純銅材質である線７、線８を含んでもよい。線７、線８は例えばそれぞれ接地コア及び直流電力線である。前記線７、線８はそれぞれ例えば２本撚り線や４本撚り線等の、複数のコアを撚り合わせたものであってもよい。これにより、電磁気干渉が効果的に低減される。
【００２８】
図２に示す例において、前記複数の信号線は、例えばスズめっき銅線等の材質のコアを用いた線９、線１０、線１１、線１２を含んでもよく、ユーザ定義の信号を含む任意の信号を伝送することができる。
【００２９】
シールドを行うために、線３〜線１２はその外部全体が、異なる種類の金属線を含むシールド部１０５で被覆されてもよい。絶縁性及び難燃性を付与するために、線１〜線１２はその全体が、例えばＰＶＣ  ＶＷ−１材質のシース１０４に包み込まれてもよい。
【００３０】
図２に示す例は複合ケーブルの１つの例にすぎないことは、当業者には理解されるであろう。複合ケーブルの具体的な構造、材質、機能及び作用等は、当業者が実際の必要に応じて設計できるもので、ユーザの信号伝送の要求を満たせればよい。
【００３１】
一つの例において、シールド部１０５に含まれる異なる種類の金属線は、異なる物理的場に対してシールド可能な金属線、例えば電場に対してシールドを行う電気シールド金属線（例えば銅等）、磁場に対してシールドを行う磁気シールド金属線（例えば鉄等）を含んでもよい。これにより、本発明は、磁気シールド及び電気シールド等の多方面のシールドの要求を同時に満たすことができる。
【００３２】
しかし、上述したシールドを行う金属線の選択は１つの例にすぎないことは、当業者には理解されるであろう。前記金属線は何種類あるか、各種類がそれぞれ何のタイプであるか、各種類がそれぞれ占める割合等は、当業者が実際の必要に応じて選択できるもので、種々の異なる物理的場に対するシールドの要求を同時に満たせればよい。
【００３３】
一つの例において、前記シールド部１０５は、異なる種類の金属線からなるワイヤハーネスによりメッシュ状構造に織られて構成されてもよい。本発明では、ワイヤハーネスにおける各種類の金属線の割合、ワイヤハーネスの具体的な織り方等について特に限定せず、シールドの要求、コスト等の要素に応じて柔軟に配置することができる。例えば、ある種類の物理的場に対してより高い程度のシールドを行う必要がある場合、このような物理的場に対して良好なシールド性能を有する金属線の割合を適宜高くすればよい。
【００３４】
図３及び図４はワイヤハーネス及びシールド部のメッシュ状構造の１つの例を示す模式図である。図３に示すように、まず、複数の銅金属線（実線で示す）及び鉄金属線（破線で示す）を同じ割合（又は必要に応じる他の割合）でワイヤハーネスに組み合わせ、そして、前記ワイヤハーネスをベース線としてメッシュ状構造に織る。ワイヤハーネスの組み合わせ形態としては、並置や撚り等の任意の適当な形態で良い。
【００３５】
一つの例において、前記シールド部１０５は、２組の平行するワイヤハーネスにより例えば菱形、長方形又は正方形の格子を有するメッシュ状構造となるように交互に織られてなる。１つの可能な織り形態は図４に示すものである。
【００３６】
一つの例において、シールド部１０５として、異なる種類の金属線を並置した後に横方向に巻回して構成してもよい。
【００３７】
一般的に、信号線は電力線に比べて、本数が多く、全体の外径が太い。このため、信号線及び電力線はケーブルの内部空間に充填されるとき取り合わせできず、ケーブルの構造は不安定になってしまう。これに対して、本実施例は、第１の導線ユニット及び第２の導線ユニットを複数のサブユニット又は複数の導線に分けることにより、これらサブユニット及び導線の形状及び位置を互いに取り合わせてケーブルの内部空間を十分に充填するようにし、安定な構造とするという解決案をさらに提案している。
【００３８】
図５ａ〜図５ｆは本発明の実施例による複合ケーブルの例を示す構造図である。
【００３９】
一つの例において、例えば図５ａ、図５ｂ、図５ｃ、図５ｆ及び図５ｇに示すように、前記第１の導線ユニットは、少なくとも２つの第１の導線サブユニット１０１１を含んでもよい。一つの例において、各第１の導線サブユニットはそれぞれサブシールド部で被覆されてもよい。このサブシールド部は上述した異なる種類の金属からなるシールド部であってもよく、単一の金属、例えばアルミ箔からなるシールド部であってもよい。また、すべての第１の導線サブユニット全体の外部は、異なる種類の金属からなるシールド部でさらに被覆されてもよい。
【００４０】
一つの例において、前記第２の導線ユニットは、少なくとも２つの導線１０２１を含んでもよく、各導線の外部が絶縁層で被覆されてもよい。図５ａ〜図５ｇに示すように、１０２１ａはライブラインであり、１０２１ｂはニュートラルラインである。ライブライン１０２１ａ及びニュートラルライン１０２１ｂはそれぞれ１つ又は複数である。
【００４１】
安定な構造を有する複合ケーブルを構成するために、一つの例において、前記第１の導線サブユニット及び前記第２の導線ユニットの中の導線からなるワイヤハーネスの横断面の外輪郭は複合ケーブルの直径に関して対称となる構造であってもよい。例えば、図５ａ〜図５ｇに示すように、この外輪郭は直径に関して対称となる多角形であってもよい。例を挙げると、図５ａでは、２つの太い導線と２つのサブユニットとが並置され、隙間に２つの細い導線が充填され、全体として六角形の外輪郭になっている。図５ｂでは、１つの細いサブユニットが中央に位置し、３つの太いサブユニットと２つの同じ太さの導線がこの細いサブユニットを取り囲み、全体として五角形の外輪郭になっている。図５ｇでは、２つのサブユニット及び２つの導線が交互に配置され、四角形の外輪郭になっている。
【００４２】
第１の導線ユニット及び第２の導線ユニットの配置形態は上記したものに限らず、安定な構造となるように配置すればよいことは、当業者には理解されるであろう。例えば、別の例において、例えば図２に示すように、第１の導線サブユニット及び第２の導線ユニットの中の導線からなるワイヤハーネスの横断面の外輪郭は概ね円形であってもよい。
【００４３】
上述した図面に示す構造は例示に過ぎず、本発明はこれに限らないことは、当業者には理解されるであろう。
【００４４】
本発明の実施例によれば、伝送される信号の機能、電源の電流容量の要求等に応じて、第１の導線ユニットの中の第１の導線サブユニットの個数及び第２の導線ユニットの中の導線の個数を合理的に配置することにより、上述した安定な構造を有する複合ケーブルを形成することができる。例えば、第１の導線ユニットは、伝送される信号の機能に応じて、複数の第１の導線サブユニットに分けることができる（例えば、図５ａ、図５ｂ、図５ｃ、図５ｆ及び図５ｇを参照）。第２の導線ユニットは、必要な個数の導線に分けることができ（例えば、図５ａ、図５ｄを参照）、これにより、分けられたすべての導線の許容可能な電流容量の総和が第２の導線ユニットの電流容量の要求を満たすようにする。第１の導線サブユニットの間、各導線の間、第１の導線サブユニット及び導線の間において、直径は必要に応じて同一又は異なるように設定することができる。つまり、第１の導線ユニットは太さが異なる第１の導線サブユニットに分けることができ（例えば、図５ｂを参照）、第２の導線ユニットは太さが異なる導線に分けることができる（例えば、図５ａ及び図５ｄを参照すると、ライブライン１０２１ａは１つの太線と１つの細線との２つに分けられ、ニュートラルライン１０２１ｂは１つの太線と１つの細線との２つに分けられる）。このように、太線と細線とを取り合わせることにより、シースの内部空間をなるべく十分に充填することができ、安定性が向上する。また、第２の導線ユニットを分けることは、導電ケーブルの太さを大きくすることに相当し、電流の負荷能力を向上させることができる。
【００４５】
例えば、１つの第１の導線ユニット１０１を複数の第１の導線サブユニット１０１１に分け（図５ａ、図５ｂ、図５ｃ、図５ｆ、図５ｆに示す）、分けられた複数の第１の導線サブユニットにより複合ケーブルを充填することができる。分けた後の第１の導線サブユニットは分ける前の第１の導線ユニット１０１よりも直径が小さくなり、分ける前に比べて、配置位置がより柔軟になり、複合ケーブルの外径を小さくし、かつ十分に充填することができ、複合ケーブルの安定性が向上する。図５ｃを例にすると、図５ｃにおいて、同じ太さの２つのサブユニットと２つの導線とが並置され、四角形の外輪郭になっており、第１の導線ユニット１０１は機能に応じて２つのサブユニット１０１１に分けられ、その中の１つはＨＤＭＩ（高精細度マルチメディアインターフェース）対応の信号又は必要に応じる他の信号を伝送可能であり、もう１つは制御信号又は必要に応じる他の信号を伝送可能である。
【００４６】
さらに、例えば、１つの第２の導線ユニット１０２を複数の導線１０２１に分け（図５ａ、図５ｄに示す）、分けられた複数の第２の導線ユニットにより複合ケーブルを充填してもよい。同様に、分ける前に比べて、複合ケーブルの外径を小さくし、かつ複合ケーブルの安定性を向上させることができる。
【００４７】
当業者は、実際の必要に応じて、第１の導線ユニット及び第２の導線ユニットのいずれか一方、又は第１の導線ユニット及び第２の導線ユニットの両方を分けることができる。これにより安定な構造を有する複合ケーブルを構成すればよい。
【００４８】
以上の記述は本発明の具体のな実施形態に過ぎず、本発明の権利範囲はこれらに限定されるものではない。当業者が本発明に開示される技術の範囲内で容易に想到できる変形や変更はいずれも、本発明の権利範囲に含まれる。したがって、本発明の権利範囲は、添付の特許請求の範囲によるものである。
【図１】
2019500727.tif 000003
【図２】
2019500727.tif 000004
【図３】
2019500727.tif 000005
【図４】
2019500727.tif 000006
【図５ａ】
2019500727.tif 000007
【図５ｂ】
2019500727.tif 000008
【図５ｃ】
2019500727.tif 000009
【図５ｄ】
2019500727.tif 000010
【図５ｅ】
2019500727.tif 000011
【図５ｆ】
2019500727.tif 000012
【図５ｇ】
2019500727.tif 000013
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
第１の導線ユニットと、各導線が絶縁層で被覆されている第２の導線ユニットとを備え、
絶縁材料により製造され、かつ前記第１の導線ユニット及び第２の導線ユニットを包み込むシースと、
異なる種類の金属線を含み、前記第１の導線ユニットを被覆するシールド部と、をさらに備え、
前記第１の導線ユニットは信号を伝送可能であり、前記第２の導線ユニットは電源電力を伝送可能であり、
前記第２の導線ユニットは２つよりも多い導線を含み、前記導線の許容可能な電流容量の総和は第２の導線ユニットの電流容量の要求を満たし、前記第１の導線ユニット及び前記導線は、前記シースの内部空間を十分に充填するように配置され、
前記第１の導線ユニットは１つ以上の第１の導線サブユニットを含み、前記第１の導線サブユニットの各々は、異なる種類の金属線を含むサブシールド部で被覆されており、
前記第１の導線サブユニット及び前記第２の導線ユニットの中の導線は、前記シースの内部空間を十分に充填するように配置されることを特徴とする複合ケーブル。
【請求項２】
前記シールド部は、異なる種類の金属線からなるワイヤハーネスによりメッシュ状構造に織られて構成されることを特徴とする請求項１に記載の複合ケーブル。
【請求項３】
前記異なる種類の金属線は、電気シールド金属線と、磁気シールド金属線とを含むことを特徴とする請求項１に記載の複合ケーブル。
【請求項４】
前記電気シールド金属線は銅線を含むことを特徴とする請求項３に記載の複合ケーブル。
【請求項５】
前記磁気シールド金属線は鉄線を含むことを特徴とする請求項３に記載の複合ケーブル。
【請求項６】
前記第１の導線サブユニット及び前記第２の導線ユニットの中の導線からなるワイヤハーネスの横断面の外輪郭は複合ケーブルの直径に関して対称となる多角形であることを特徴とする請求項１に記載の複合ケーブル。
【請求項７】
前記第１の導線サブユニット及び前記第２の導線ユニットの中の導線からなるワイヤハーネスの横断面の外輪郭は概ね円形であることを特徴とする請求項１に記載の複合ケーブル。
【請求項８】
前記第１の導線ユニットは、高精細度マルチメディアインターフェース（ＨＤＭＩ）線、ユーザー定義信号線、制御線、データ線、直流電力線及びグラウンド線のうちの一種又は複数種を含むことを特徴とする請求項１に記載の複合ケーブル。
【国際調査報告】
2019500727.tif 000014
2019500727.tif 000015
2019500727.tif 000016
2019500727.tif 000017
2019500727.tif 000018
2019500727.tif 000019